(57)【要約】【課題】内容物の注出および受け取りの一連の操作を片手で簡単に行える液体注出容器を提供することである。【解決手段】液体注出容器１０は、容器本体１２、容器本体１２の口部３０に着脱自在に装着され、容器本体１２内に収納される液状内容物を注出可能とするポンプ４０を含み、ポンプ４０は、口部３０に装着される筒状の装着キャップ４２と、シリンダ部４４と、液状内容物を吸上げる吸上げチューブ４６と、シリンダ部４４内から装着キャップ４２の上方に付勢されるピストン部５０と、ピストン部５０の上端側に配設され、吸上げチューブ４６で吸上げられた液状内容物を吐出させる吐出ノズル５４を備えた吐出ヘッド部５２を含み、吐出ヘッド部５２の下端位置よりも下側、且つ、口部３０と容器本体１２との境界端ＢＬの位置よりも上側に配設され、側方に延出する延出部６０をさらに含む。【選択図】図１
2012066849.tif 000002
【特許請求の範囲】
【請求項１】
容器本体、
前記容器本体の上端部に配設される口部、および
前記口部に着脱自在に装着され、前記容器本体内に収納される液状内容物を注出可能とするポンプを含む液体注出容器であって、
前記ポンプは、
前記口部に装着される筒状の装着キャップ、
前記装着キャップから下に垂設されるシリンダ部、
前記シリンダ部の下端側から垂下し、前記液状内容物を吸上げる吸上げチューブ、
前記シリンダ部内から前記装着キャップの上方に付勢され、前記シリンダ部内を往復運動するピストン部、および
前記ピストン部の上端側に配設され、前記吸上げチューブで吸上げられた前記液状内容物を吐出させる吐出ノズルを備えた吐出ヘッド部を含み、
前記吐出ヘッド部の下端位置よりも下側、且つ、前記口部と前記容器本体との境界端の位置よりも上側に配設され、側方に延出する延出部をさらに含むことを特徴とする、液体注出容器。
【請求項２】
前記延出部は、
前記装着キャップの軸方向の中間部、
前記装着キャップの軸方向の一端部およびその近傍、および、
前記装着キャップの軸方向の他端部およびその近傍のいずれかの部位に嵌装され、
前記装着キャップの径方向に延出するフランジ部材を含むことを特徴とする、請求項１に記載の液体注出容器。
【請求項３】
前記容器本体は、自立可能なプラスチック製の袋体を含むことを特徴とする、請求項１または請求項２に記載の液体注出容器。
【発明の詳細な説明】
【技術分野】
【０００１】
本願発明は、液体抽出容器に関し、シャンプー，リンス，トリートメント等の洗髪料、液状ソープの他、化粧料および整髪料等の種々の液体内容物を収容するたとえば袋体の口部に、特に、当該内容物を手動で注出可能とするポンプが着脱自在に組み付けられる液体注出容器に関する。
【背景技術】
【０００２】
本願発明の背景となる従来技術としては、補充用の新液を詰め替え用包装体に充填して提供する態様に利用されるポンプ付き液体容器に関し、詰め替え用包装体の装填をより容易に且つより確実に行えるようにしたポンプ付き液体容器が知られている（例えば、特許文献１参照。）。このポンプ付き液体容器では、突き刺し管の吸液部が詰め替え用包装体の内部の位置に存在することになり、該詰め替え用包装体内の液体の吸液および注出口からの注出が可能となっている。
ところが、特許文献１に示す従来のポンプ付き液体容器では、補充用の新液の詰め替え作業が煩雑なものとなっていて、また、詰め替え回数が多くなると、詰め替えの繰返しで容器の外枠体および内枠体が汚染される虞があり、不具合の生じるものであった。
【０００３】
また、本願発明の背景となる従来技術としては、上記した不具合を解消するために、口部に取り付けた押出ポンプで内容物を取り出すようにした押出ポンプ用の詰替用容器を、前記押出ポンプの押動操作が可能なように起立状態に保持する容器保持具が提案されている（例えば、特許文献２参照。）。詰替用容器は、柔軟性を有する袋状の容器本体と、容器本体の上端部に設けられる硬質樹脂製の口部と、口部に取り付けられ、容器本体内に収納されたシャンプーやトリートメント等の内容物を注出するようにした押出ポンプとを備えている。容器保持具は、金属杆を屈曲して形成された一対の支持部材と、この支持部材同士を連結する一対のばね部材とを有し、ばね部材で連結された一対の支持部材間に詰替用容器の口部を挿入するだけで、当該詰替用容器を起立状態に保持することができるため、詰替用容器の取り換えが容易に行えるものとなっている。
【先行技術文献】
【特許文献】
【０００４】
【特許文献１】特開２００９−２６９６５１号公報（第８頁の第２９行目〜第１０頁の第７行目、図１〜図４）
【特許文献２】特開２００３−２００４９号公報（第２頁の第２欄の第４７行目〜第３頁の第４欄の第１８行目、図１〜図２）
【発明の概要】
【発明が解決しようとする課題】
【０００５】
しかしながら、特許文献２に示す従来技術では、容器保持具によって押出ポンプ用の詰替用容器を起立状態に保持し、当該詰替用容器の取り換えを容易に行えるものの、容器本体内に収容されたシャンプーやリンス等の内容物を使用するときには、押出しポンプの押圧部を一方の手で下方に押圧することにより、吐出パイプから内容物が吐出させ、もう片方の手で当該吐出パイプから吐出させた内容物を受け取る仕様となっており、このことは、特許文献１に示す従来のポンプ付き液体容器においても同様の仕様を有するものであって、いずれの場合においても、容器本体からの液体の注出操作には、両方の手を使用しなければならないのが原則となっていた。
【０００６】
このように、両方の手を使用することが原則の従来の液体注出容器では、特に、たとえば洗髪の際に目を閉じたままの操作が困難なものとなり、また、病気や障害等で片方の手が不自由な人にとっても、その取り扱い扱いが困難なものとなっていた。すなわち、上記した各従来技術の構成では、片手しか使えない状況下においては内容物の注出操作が煩わしいものとなり、利便性の非常に悪いものであった。
【０００７】
それゆえに、本願発明の主たる目的は、内容物の注出および受け取りの一連の操作を片手で簡単に行える液体注出容器を提供することである。
【課題を解決するための手段】
【０００８】
請求項１にかかる本願発明は、容器本体と、容器本体の上端部に配設される口部と、口部に着脱自在に装着され、容器本体内に収納される液状内容物を注出可能とするポンプとを含む液体注出容器であって、ポンプは、口部に装着される筒状の装着キャップと、装着キャップから下に垂設されるシリンダ部と、シリンダ部の下端側から垂下し、液状内容物を吸上げる吸上げチューブと、シリンダ部内から装着キャップの上方に付勢され、シリンダ部内を往復運動するピストン部と、ピストン部の上端側に配設され、吸上げチューブで吸上げられた液状内容物を吐出させる吐出ノズルを備えた吐出ヘッド部とを含み、吐出ヘッド部の下端位置よりも下側、且つ、口部と容器本体との境界端の位置よりも上側に配設され、側方に延出する延出部をさらに含むことを特徴とする、液体注出容器である。
請求項１にかかる本願発明は、上記した構成を有するため、ポンプのシリンダ部およびピストン部の作用によりポンプアップされた容器本体内の液状内容物は、吸上げチューブを通って、吐出ヘッド部の吐出ノズルから吐出される。当該発明は、特に、延出部を有するため、使用する際に、例えば、片方の掌を上に向けて当該掌を上記延出部と容器本体との間に差し込み、当該掌で延出部を下側から支え持つように液体注出容器を保持すれば、当該液体注出容器を保持している方の手の親指で吐出ヘッド部を押圧するだけで吐出ノズルから掌に一定量の液状内容物を注出させることが可能となっている。すなわち、請求項１にかかる本願発明によれば、ワンタッチで液状内容物の注出および受け取りの一連の操作を片手で簡単に行えるものとなっている。
請求項２にかかる本願発明は、請求項１にかかる発明に従属する発明であって、延出部は、装着キャップの軸方向の中間部、装着キャップの軸方向の一端部およびその近傍、装着キャップの軸方向の他端部およびその近傍のいずれかの部位に嵌装され、装着キャップの径方向に延出するフランジ部材を含むことを特徴とする、液体注出容器である。
請求項２にかかる本願発明は、特に、延出部がフランジ部材を含むため、使用する際に、例えば、片方の掌を上に向けて当該掌を上記延出部と容器本体との間に差し込み、人差し指と中指との間、あるいは、中指と薬指との間に装着キャップを挟み込むようにした状態で、掌で液体注出容器を下側から支え持つように保持することも可能となるので、より一層安定して、液体注出容器を保持することが可能となっている。そして、そのように液体注出容器を保持した状態で、当該片方の手の親指で吐出ヘッド部を押圧すれば、吐出ノズルから掌に一定量の液状内容物を注出させることが可能となっている。すなわち、請求項２にかかる本願発明おいても、上記した請求項１にかかる発明と同様に、ワンタッチで液状内容物の注出および受け取りの一連の操作を片手で簡単に行えるものとなっている。
請求項３にかかる本願発明は、請求項１または請求項２にかかる発明に従属する発明であって、容器本体は、自立可能なプラスチック製の袋体を含むことを特徴とする、液体注出容器である。
請求項３にかかる本願発明は、容器本体が自立可能なプラスチック製の袋体を含み、当該容器本体が軽量となるので、当該容器本体を所望する場所に載置した状態あるいは当該容器本体を片手で持ち上げた状態で、上記した請求項１および請求項２にかかる発明と同様に、ワンタッチで液状内容物の注出および受け取りの一連の操作を片手で簡単に行えるものとなっている。
【発明の効果】
【０００９】
本願発明の液体注出容器によれば、内容物の注出および受け取りの一連の操作を片手で簡単に行えるという効果がある。
【００１０】
本願発明の上述の目的、その他の目的、特徴および利点は、図面を参照して行う以下の発明を実施するための形態の説明から一層明らかとなろう。
【図面の簡単な説明】
【００１１】
【図１】本願発明にかかる液体注出容器の実施形態の一例を示す斜視図である。
【図２】図１に示す液体注出容器の使用状態の一例を示す斜視図である。
【図３】本願発明にかかる液体注出容器の実施形態の他の例を示す分解斜視図である。
【発明を実施するための形態】
【００１２】
本願発明にかかる液体注出容器は、内容物の注出および受け取りの一連の操作を片手で簡単に行えるという目的を、当該液体注出容器の吐出ヘッド部の下端位置よりも下側、且つ、口部と容器本体との境界端の位置よりも上側に、側方に延出する延出部を付設することによって実現した。
【実施例１】
【００１３】
図１は、本願発明にかかる液体注出容器の実施形態の一例を示す斜視図であり、図２は、図１に示す液体注出容器の使用状態の一例を示す斜視図である。
本実施形態例にかかる液体注出容器１０は、たとえば軟質のプラスチック製の袋体に形成される容器本体１２を含む。容器本体１２内には、シャンプー，リンス，トリートメント等の洗髪料、液状ソープの他、化粧料および整髪料等の種々の液体内容物が収容され得る。
容器本体１０は、正面部１４ａ，背面部１４ｂおよび挿入材（図示せず）を含み、図１に示すように、正面部１４ａ，背面部１４ｂは正面視矩形状のもので、２層に重ね合わされている。挿入材（図示せず）は、底ガゼット部１６ａおよび左サイドガゼット部１８ａ，右サイドガゼット部２０ａを有し、底ガゼット部１６ａにより底面部１６が形成され、左サイドガセット部１８ａにより左側面部１８が形成され、右サイドガゼット部２０ａにより右側面部２０が形成されている。正面部１４ａ，背面部１４ｂと、底面部１６と、左側面部１８，右側面部２０とは、底側ヒートシール部２２と、左側ヒートシール部２４と、右側ヒートシール部２６と、上側ヒートシール部２８ａ，２８ｂとで固着されることによって、正面部１４ａ，背面部１４ｂ，底面部１６，左側面部１８，右側面部２０との接続端部に剛性を持たせるものとなっている。
【００１４】
また、左サイドガゼット部１８ａ，右サイドガゼット部２０ａには、それぞれ、たとえば三角形状の折り曲げフラップ２９ａ，２９ｂを有する。折り曲げフラップ２９ａ，２９ｂは、それぞれ、正面部１４ａ，背面部１４ｂおよび左サイドガゼット部１８ａ，右サイドガゼット部２０ａに、左側ヒートシール部２４，右側ヒートシール部２６で固着されている。折り曲げフラップ２９ａ，２９ｂと当該左側ヒートシール部２４，右側ヒートシール部２６部分に、大きいシール強度をもたせることができ、且つ、より大きい剛性を持たせることができる。
【００１５】
本実施形態例では、容器本体１２が上記した構成を有するため、左サイドガゼット部１８ａおよび右サイドガゼット部２０によって、容器本体１２を拡げられ、当該容器本体１２の容量を増大することができる。また、底ガゼット部１６ａによって底面部１６が拡げられ、当該容器本体１２の底面には、矩形状の底面が形成される。さらに、底側ヒートシール部２２，左側ヒートシール部２４，右側ヒートシール部２６，上側ヒートシール部２８ａ，２８ｂによって、正面部１４ａ，背面部１４ｂ，底面部１６，左側面部１８，右側面部２０との接続端部には剛性を持たせられるため、容器本体１２を安定して直立状態に自立可能とすることができる。
【００１６】
この容器本体１２の上端縁の中央部には、たとえば硬質のプラスチック製の口部３０が配設されている。口部３０は、たとえばその外周面にネジ面３２ａを有する円筒状の口部本体３２を含み、口部本体３２は、平面視略菱形のブラケット部３４によって、容器本体１２に支持されている。ブラケット部３４は、その外周面に周方向に所定の間隔を隔てて延設される複数のリブ溝条部３４ａを有し、当該ブラケット部３４の外周面は、容器本体１２と溶着されている。また、ブラケット部３４は、その中央にたとえば円形の貫通孔３６を有し、当該貫通孔３６は、口部本体３２の孔３２ａと連通している。
【００１７】
上記した口部３０には、容器本体１２内に収納される液状内容物を注出可能とするポンプ４０が、着脱自在に装着される構造となっている。
すなわち、ポンプ４０は、口部３０に装着されるたとえば円筒状の装着キャップ４２を含む。装着キャップ４２は、その内周面に、上記した口部のネジ面３２ａに螺合可能なネジ面（図示せず）を有している。また、装着キャップ４２の外周面には、当該装着キャップ４２の軸方向に延びる多数のリブ条片４２ａが突設されている。さらに、装着キャップ４２の上には、当該装着キャップ４２の直径よりも小さい直径を有するリング部材４８が配設されている。リング部材４８は、後述するピストン部５０を回動自在に装着キャップ４２に支持するものとなっている。
装着キャップ４２には、当該装着キャップ４２から下方に延びてシリンダ部４４が垂設されている。シリンダ部４４には、当該シリンダ部４４の下端側から垂下し、容器本体１２内に収納された液状内容物を吸上げる吸上げチューブ４６が配設されている。
【００１８】
ポンプ４０は、シリンダ部４４内から装着キャップ４２の上方にコイルスプリング等の付勢手段（図示せず）により付勢され、シリンダ部４４内を往復運動するピストン部５０をさらに含む。ピストン部５０の上端側には、吸上げチューブ４６で吸上げられた液状内容物を吐出させる円盤状の吐出ヘッド部５２が配設されている。吐出ヘッド部５２は、その外周面に、たとえば１つの吐出ノズル５４を備えたものとなっている。吐出ノズル５４は、たとえば円形管状のノズル本体５６を含み、ノズル本体５６は、そのノズル孔５６ａが斜め下方に向くように形成されている。
【００１９】
本実施形態例にかかる液体注出容器１０は、特に、吐出ヘッド部５２の下端位置よりも下側、且つ、口部３０と容器本体１２との境界端ＢＬの位置よりも上側に配設され、側方に延出する延出部６０をさらに含むことを特徴としている。
すなわち、延出部６０は、特に、図１に示すように、たとえば平面視略楕円形環状のフランジ部材６２を含む。フランジ部材６２は、その長軸方向の長さが、たとえば上記した装着キャップ４２の直径の略３倍強程度に形成され、その短軸方向の長さが、装着キャップ４２の直径の略２倍弱程度に形成されている。フランジ部材６２は、たとえば硬質のプラスチックで薄肉に形成されている。フランジ部材６２は、装着キャップ４２とその上側に位置するリング部材４８との段差部Ｓに配設されている。フランジ部材６２は、当該段差部Ｓに固着されている。この場合、フランジ部材６２は、接着剤等の固着手段により、段差部Ｓに固着されてもよく、また、当該段差部Ｓに一体的に形成するようにしてもよい。
【００２０】
図１に示す実施形態例にかかる液体注出容器１０は、上述した構造を有するため、ポンプ４０のシリンダ部４４およびピストン部５０の作用によりポンプアップされた容器本体１２内の液状内容物は、吸上げチューブ４６を通って、吐出ノズル５４のノズル孔５６ａから吐出される。本実施形態例では、特に、延出部６０として、たとえばフランジ部材６２を有するため、当該液体注出容器１０を使用する場合に、図２に示すように、例えば、片方の掌を上に向けて当該掌をフランジ部材６２と容器本体１２との間に差し込み、当該掌でフランジ部材６２を下側から支え持つようにして液体注出容器１０を保持すれば、当該液体注出容器１０を保持している方の手の親指で吐出ヘッド部５２を押圧するだけで吐出ノズル５４のノズル孔５６ａから掌に一定量の液状内容物を注出させることができる。この場合、ピストン部５０を上方に付勢する付勢手段（図示せず）に抗して、吐出ヘッド部５２が押し下げられた後、押圧力が解除されて吐出ヘッド部５２が付勢手段（図示せず）により元の位置に復帰する（上昇する）ことによって、容器本体１２内の液状内容物を吐出ノズル５４のノズル孔５６ａから吐出される。
【００２１】
本実施形態例では、延出部６０がフランジ部材６２で形成されているため、片方の掌を上に向けて当該掌をフランジ部材６２と容器本体１２との間に差し込んだ際に、例えば、人差し指と中指との間、あるいは、中指と薬指との間に装着キャップ４２を挟み込むようにした状態で、掌により液体注出容器１０を下側から支え持つように保持することができるため、より一層安定して、液体注出容器１０を保持することができるものとなっている。そして、そのように液体注出容器１０を保持した状態で、当該片方の手の親指で吐出ヘッド部５２を押圧すれば、吐出ノズル５４のノズル孔５６ａから掌に一定量の液状内容物を注出させることができる。
【００２２】
さらに、本実施形態例では、容器本体１２が自立可能なプラスチック製の袋体に形成されているため、当該容器本体１２自体の重量が軽量となり、当該容器本体１２を所望する場所に載置した状態、あるいは、当該容器本体１２を片手で持ち上げた状態で、ワンタッチで液状内容物の注出および受け取りの一連の操作を片手で簡単に行えることができる。
【００２３】
図３は、本願発明にかかる液体注出容器の実施形態の他の例を示す分解斜視図である。
図３に示す実施形態例は、上述した実施形態例に比べて、特に、延出部６０および容器本体１２への取り付け構造が相違するものである。この場合、上述の実施形態例では、延出部６０を構成するフランジ部材６２が、装着キャップ４２とその上側に位置するリング部材４８との段差部Ｓに固着されているのに対して、本実施形態例では、図３に示すように、フランジ部材７０が容器本体１２に着脱自在に配置されるものとなっている。
すなわち、図３に示す実施形態例の液体注出容器１０では、延出部６０がたとえば平面視楕円形環状のフランジ部材７０を含む。フランジ部材７０は、その中央にたとえば円形の貫通孔７２を有し、貫通孔７２の円周方向には、所定の間隔を隔てて、複数のたとえば平面視Ｖ字状の切り欠き部７４を含むものとなっている。複数の切り欠き部７４は、それぞれ、その基端側が貫通孔７２に連通し、その先端側が当該フランジ部材７０の外周側に向いて所定の長さを持って放射状に延び設けられている。
【００２４】
フランジ部材７０は、装着キャップ４２の軸方向の中間部に配置される。装着キャップ４２は、その軸方向の中央部が、フランジ部材７０の貫通孔７２に嵌挿される。このとき、隣り合う複数の切り欠き部７４間に設けられる平面視台形状の片部７６が、装着キャップ４２の多数のリブ条片４２ａ間に部分的に係合される。つまり、当該片部７６は、フランジ部材７０を装着キャップ４２に嵌挿したときのストッパとしての機能を有するものとなっている。
【００２５】
本実施形態例の液体注出容器１０では、延出部６０を構成するフランジ部材７０が装着キャップ４２に着脱自在に嵌装することができるため、当該フランジ部材７０の取り付け位置を、例えば、装着キャップ４２の軸方向の中間部、軸方向の一端部およびその近傍、軸方向の他端部およびその近傍のいずれかの部位に嵌装させることも可能となり、その取扱いにおいて利便性のあるものになっている。
【００２６】
図１に示す液体注出容器１０では、延出部６０としてのフランジ部材６２が、装着キャップ４２とその上側に位置するリング部材４８との段差部Ｓに固着され、図３に示す液体注出容器１０では、延出部６０としてのフランジ部材７０が装着キャップ４２の軸方向の中間部に着脱自在に装着されたが、当該延出部６０の装着位置は、それらに限定されるものではなく、例えば、延出部６０を装着キャップ４２の下側のブラケット部３４の上面側に装着するようにしてもよい。すなわち、延出部６０は、吐出ヘッド部５２の下端位置よりも下側、且つ、口部３０と容器本体１２との境界端ＢＬの位置よりも上側であれば、適宜、所望する部位に装着され得るものである。
【００２７】
例えば、この場合、延出部６０を構成するフランジ部材６２，７０をピストン部５０に固定して配設した場合、当該フランジ部材６２，７０をたとえば手の甲で押圧すれば、それに連動して、ピストン部５０が押圧されて下降するため、掌に、吐出ノズル５４のノズル孔５６ａから吐出される液状内容物を受け取ることが可能となる。この場合においても、当該容器本体１２を所望する場所に載置した状態、あるいは、当該容器本体１２を片手で持ち上げた状態で、ワンタッチで液状内容物の注出および受け取りの一連の操作を片手で簡単に行えることができる。
【００２８】
また、上記した延出部６０を構成するフランジ部材６２，７０は、その外形がたとえば平面視楕円形環状に形成されたが、当該フランジ部材６２，７０の外形は、それに限定されるものではなく、たとえば平面視矩形環状、平面視円形環状、平面視三角形環状、平面視菱形環状、その他、平面視多角形環状など、種々の環状体に形成され得るものである。
【００２９】
さらに、延出部６０は、上記したフランジ部材６２，７０に限定されるものではなく、たとえば装着キャップ４２の直径方向に対向する棒部材、板状部材、弧状面部材等で形成されてもよい。
【００３０】
なお、上述の各実施形態例では、使用者が親指等で吐出ヘッド５２を押圧することによってポンプ４０を作動させるワンプッシュタイプのものが提示されたが、それに限定されるものではなく、使用者がトリガー（引き金）に引っ掛けた指を引くことによってポンプ作用を惹起するトリガータイプのものについても適応され得るものである。
【符号の説明】
【００３１】
１０  液体注出容器
１２  容器本体
１４ａ  正面部
１４ｂ  背面部
１６  底面部
１６ａ  底ガゼット部
１８  左側面部
１８ａ  左ガゼット部
２０  右側面部
２０ａ  右ガゼット部
２２  底側ヒートシール部
２４  左側ヒートシール部
２６  右側ヒートシール部
２８ａ，２８ｂ  上側ヒートシール部
２９ａ，２９ｂ  折り曲げフラップ
３０  口部
３２ａ  口部本体の孔
３２ｂ  口部のネジ面
３２  口部本体
３４  ブラケット部
３６  ブラケット部の貫通孔
４０  ポンプ
４２  装着キャップ
４２ａ  リブ条片
４４  シリンダ部
４６  吸上げチューブ
４８  リング部材
５０  ピストン部
５２  吐出ヘッド部
５４  吐出ノズル
５６  ノズル本体
５６ａ  ノズル孔
６０  延出部
６２，７０  フランジ部材
７２  貫通孔
７４  切り欠き部
７６  片部
ＢＬ  口部と容器本体との境界端
Ｓ    装着キャップとリング部材との段差部
【図１】
2012066849.tif 000003
【図２】
2012066849.tif 000004
【図３】
2012066849.tif 000005